(57)【要約】本発明はプロジェクタの制御システム１００と対応する制御方法を提供する。制御システム１００はメインコントローラ１０、動的電流調節モジュール９０、カラーホイールコントローラ３０、カラーホイール回転数フィードバックモジュール４０と光源７０を含み、動的電流調節モジュール９０はＤＬＰモジュール２０、光源コントローラ５０と電源モジュール６０を含み、カラーホイール回転数フィードバックモジュール４０はフィードバック信号を生成し、ＤＬＰモジュール２０はフィードバック信号を受信し、ＤＬＰモジュール２０は動的輝度情報を受信し、フィードバック信号に基づいて処理後の動的輝度情報と制御信号を光源コントローラ５０に送信し、光源コントローラ５０は受信したＤＬＰモジュール２０から発された処理後の動的輝度情報と制御信号に基づいて、電源モジュール６０が電源スイッチをオンにして対応する電流値を出力するように制御する。以上の解決手段によれば、ＤＬＰモジュール２０が異なる動的輝度情報を発する時間間隔はカラーホイール８０の実回転数に整合し、さらにプロジェクタの結像効果は確保される。【選択図】図１
2020526144.tif 000002
【特許請求の範囲】
【請求項１】
プロジェクタの制御システムであって、
前記制御システムは、メインコントローラ、動的電流調節モジュール、カラーホイールコントローラ、カラーホイール回動フィードバックモジュールおよび光源を含み、
前記動的電流調節モジュールは、ＤＬＰモジュール、光源コントローラおよび電源モジュールを含み、
前記カラーホイールコントローラは、ＤＬＰモジュールの制御信号に基づいてカラーホイールの回動を制御し、前記カラーホイール回転数フィードバックモジュールは、カラーホイールの実回転数を含むフィードバック信号を生成し、
前記ＤＬＰモジュールは、前記カラーホイール回転数フィードバックモジュールから発された前記フィードバック信号を受信し、
前記メインコントローラは、光源の輝度情報を含む動的輝度情報を前記ＤＬＰモジュールに送信し、
前記ＤＬＰモジュールは、メインコントローラの動的輝度情報を受信し、前記カラーホイール回動フィードバックモジュールのフィードバック信号に基づいて処理後の動的輝度情報と制御信号を前記光源コントローラに送信し、前記ＤＬＰモジュールが送信する処理後の動的輝度情報は、光源の輝度情報とカラーホイールセグメントに整合する時系列制御情報とを含み、
前記光源コントローラは、受信した、ＤＬＰモジュールから送信された処理後の動的輝度情報と制御信号に基づいて、電源モジュールが電源スイッチをオンにして対応する電流値を出力するように制御し、
前記電源モジュールは、出力された対応する電流値に基づいて、光源の発光を駆動することを特徴とするプロジェクタの制御システム。
【請求項２】
前記ＤＬＰモジュールは、前記フィードバック信号に含まれるカラーホイールの実回転数がシステムの所定のカラーホイール回転数以上であるか否かを判断し、前記フィードバック信号に含まれるカラーホイールの実回転数がシステムの所定のカラーホイール回転数以上である場合に、前記動的輝度情報および制御信号を前記光源コントローラに送信することにより、電源モジュールが電源スイッチをオンにして対応する電流値を出力するように制御することを特徴とする請求項１に記載の制御システム。
【請求項３】
前記カラーホイールは、複数のカラーホイール領域に区分され、前記光源から発された光線は、前記カラーホイールの回動中において前記カラーホイール領域に順に作用し、前記ＤＬＰモジュールは、前記時系列制御情報が前記カラーホイール領域に対する前記光線の作用時間に整合するように、前記時系列制御情報を調整することを特徴とする請求項１に記載の制御システム。
【請求項４】
前記輝度情報は、それぞれ前記複数のカラーホイール領域に対応し、前記メインコントローラは、前記光線が前記複数のカラーホイール領域のうちの何れか１つのカラーホイール領域に作用し始めると同時に、前記ＤＬＰモジュールが前記動的輝度情報を前記光源コントローラに送信して前記何れか１つのカラーホイール領域に対応させるように、前記時系列制御情報を調整することを特徴とする請求項１に記載の制御システム。
【請求項５】
プロジェクタの制御システムであって、
前記制御システムは、メインコントローラ、カラーホイール保護・動的電流調節モジュール、カラーホイールコントローラおよび光源を含み、
前記カラーホイール保護・動的電流調節モジュールは、ＤＬＰモジュール、光源コントローラ、カラーホイール回動フィードバックモジュールおよび電源モジュールを含み、
前記カラーホイールコントローラは、ＤＬＰモジュールの制御信号に基づいてカラーホイールの回動を制御し、前記カラーホイール回転数フィードバックモジュールは、カラーホイールの実回転数を含むフィードバック信号を生成し、
前記ＤＬＰモジュールおよび前記光源コントローラは、前記カラーホイール回転数フィードバックモジュールから発されたフィードバック信号を受信し、
前記メインコントローラは、光源の輝度情報を含む動的輝度情報を前記ＤＬＰモジュールに送信し、
前記ＤＬＰモジュールは、メインコントローラの動的輝度情報を受信し、前記カラーホイール回動フィードバックモジュールのフィードバック信号に基づいて、処理後の動的輝度情報と制御信号を前記光源コントローラに送信し、前記ＤＬＰモジュールが送信する処理後の動的輝度情報は、光源の輝度情報とカラーホイールセグメントに整合する時系列制御情報とを含み、
前記光源コントローラは、前記フィードバック信号におけるカラーホイールの実回転数が目標に達すると、受信したＤＬＰモジュールから送信された処理後の動的輝度情報と制御信号に基づいて、電源モジュールが電源スイッチをオンにして対応する電流値を出力するように制御し、
前記電源モジュールは、出力された対応する電流値に基づいて、光源の発光を駆動することを特徴とする制御システム。
【請求項６】
前記ＤＬＰモジュールおよび前記光源コントローラは、何れも前記フィードバック信号に含まれるカラーホイールの実回転数がシステムの所定のカラーホイール回転数以上であるか否かを判断し、前記ＤＬＰモジュールは、前記フィードバック信号に含まれるカラーホイールの実回転数がシステムの所定のカラーホイール回転数以上であると判断したときに、前記動的輝度情報と制御信号を前記光源コントローラに送信し、前記光源コントローラは、前記フィードバック信号に含まれるカラーホイールの実回転数がシステムの所定のカラーホイール回転数以上であると判断したときに、前記動的輝度情報に基づいて、電源モジュールが電源スイッチをオンにして対応する電流値を出力するように制御することを特徴とする請求項５に記載の制御システム。
【請求項７】
前記カラーホイールは、複数のカラーホイール領域に区分され、前記光源から発された光線は、前記カラーホイールの回動中において前記カラーホイール領域に順に作用し、前記ＤＬＰモジュールは、前記時系列制御情報が前記カラーホイール領域に対する前記光線の作用時間に整合するように、前記時系列制御情報を調整することを特徴とする請求項５に記載の制御システム。
【請求項８】
前記輝度情報は、それぞれ前記複数のカラーホイール領域に対応し、前記メインコントローラは、前記光線が前記複数のカラーホイール領域のうちの何れか１つのカラーホイール領域に作用し始めると同時に、前記ＤＬＰモジュールが前記動的輝度情報を前記光源コントローラに送信して前記何れか１つのカラーホイール領域に対応させるように、前記時系列制御情報を調整することを特徴とする請求項５に記載の制御システム。
【請求項９】
プロジェクタの制御方法であって、
前記制御方法は、メインコントローラ、動的電流調節モジュール、カラーホイールコントローラ、カラーホイール回転数フィードバックモジュールおよび光源によって実施され、
前記動的電流調節モジュールは、ＤＬＰモジュール、光源コントローラおよび電源モジュールを含み、
前記制御方法において、
前記カラーホイールコントローラは、ＤＬＰモジュールの制御信号に基づいてカラーホイールの回動を制御し、前記カラーホイール回転数フィードバックモジュールは、前記カラーホイールが回動した後で、カラーホイールの実回転数を含むフィードバック信号を生成し、
前記ＤＬＰモジュールは、前記フィードバック信号を受信し、前記フィードバック信号に含まれるカラーホイールの実回転数がシステムの所定のカラーホイール回転数を超えるか否かを判断し、
前記カラーホイールの実回転数がシステムの所定のカラーホイール回転数を超えるときに、前記ＤＬＰモジュールは、処理後の動的輝度情報と制御信号を前記光源コントローラに送信し、前記光源コントローラは、受信された制御信号に基づいて、電源モジュールが電源スイッチをオンにして対応する電流値を出力するように制御し、前記ＤＬＰモジュールが送信する処理後の動的輝度情報は、光源の輝度情報とカラーホイールセグメントに整合する時系列制御情報とを含み、前記電源モジュールは、出力された対応する電流値に基づいて、光源の発光を駆動し、
カラーホイールの実回転数がシステムの所定のカラーホイール回転数を超えないときに、前記ＤＬＰモジュールは、カラーホイールの実回転数がシステムの所定のカラーホイール回転数を超えるまで、制御信号を前記カラーホイールコントローラに送信して前記カラーホイールの回動を調整することを特徴とする制御方法。
【請求項１０】
プロジェクタの制御方法であって、
前記制御方法は、メインコントローラ、カラーホイール保護・動的電流調節モジュール、カラーホイールコントローラおよび光源によって実施され、
前記カラーホイール保護・動的電流調節モジュールは、ＤＬＰモジュール、光源コントローラ、カラーホイール回動フィードバックモジュールおよび電源モジュールを含み、
前記制御方法において、
前記カラーホイールコントローラは、ＤＬＰモジュールの制御信号に基づいてカラーホイールの回動を制御し、前記カラーホイール回転数フィードバックモジュールは、前記カラーホイールが回動した後で、カラーホイールの実回転数を含むフィードバック信号を生成し、
前記ＤＬＰモジュールと前記光源コントローラは、何れも前記フィードバック信号を受信し、何れも前記フィードバック信号に含まれるカラーホイール回転数がシステムの所定のカラーホイール回転数を超えるか否かを判断し、
前記ＤＬＰモジュールは、前記カラーホイールの実回転数がシステムの所定のカラーホイール回転数を超えると判断したときに、処理後の動的輝度情報と制御信号を前記光源コントローラに送信し、
前記ＤＬＰモジュールは、前記カラーホイールの実回転数がシステムの所定のカラーホイール回転数を超えないと判断したときに、カラーホイールの実回転数がシステムの所定のカラーホイール回転数を超えるまで、制御信号をカラーホイールコントローラに送信して前記カラーホイールの回動を調整し、
前記光源コントローラは、前記カラーホイールの実回転数がシステムの所定のカラーホイール回転数を超えると判断したときに、受信された制御信号に基づいて、電源モジュールが電源スイッチをオンにして対応する電流値を出力するように制御し、前記光源コントローラは、前記カラーホイールの実回転数がシステムの所定のカラーホイール回転数を超えないと判断したときに、電源モジュールがオフ状態を維持するように制御し、
前記電源モジュールは、出力された対応する電流値に基づいて、光源の発光を駆動し、
前記ＤＬＰモジュールが送信する処理後の動的輝度情報は、光源の輝度情報とカラーホイールセグメントに整合する時系列制御情報とを含むことを特徴とする制御方法。
【発明の詳細な説明】
【技術分野】
【０００１】
本発明は、投影技術分野に関し、特にプロジェクタの制御システムおよび制御方法に関する。
【背景技術】
【０００２】
現在のＤＬＰ(Ｄｉｇｉｔａｌ Ｌｉｇｈｔ Ｐｒｏｃｅｓｓｉｎｇ)デジタル光学処理技術プロジェクタは、時系列型カラーホイール混色法を用いた光源システムである。光源が順にカラーホイールを透過して赤色画面、緑色画面および青色画面が投影されて混色することにより、カラー画面は形成される。プロジェクタの最終的な結像の画面の色品質は、カラーホイールに照射される光源強度によって決定される。光源システムに対する市場のパワー要求が大きくなるにつれて、様々な高パワーの光源が出現し続けており、光源システムにおけるカラーホイールは、ますます大きな光エネルギーを受信する。カラーホイールが高速で動いている場合に、単位時間内にこれらの光エネルギーが固定セグメントに集中しないが、意外が発生すれば（例えば、光学機械システムに故障が発生するなどによって、カラーホイールが突然回転停止したり、回転数が著しく低下するとき）、単位時間内にこれらの光エネルギーは局所的な過剰な熱の蓄積によりカラーホイールを焼損させてしまう。また、カラーホイールの回動速度が変化すると、メイン制御デバイスの動的制御が間に合わず、これに起因して、カラーホイールの回転数とメインコントローラが異なる信号を発する時間間隔とが不整合し、カラーホイールの一部の特定領域で受信された光線強度が変化して、結像効果が良くなかった。
【発明の概要】
【発明が解決しようとする課題】
【０００３】
本発明が主に解決する技術課題は、プロジェクタカラーホイールの安全と結像効果を確保するために、リアルタイムでカラーホイールの実回転数に応じて、異なる信号を発するようにメインコントローラを動的に調整できるプロジェクタ制御システムおよび制御方法を提供することにある。
【課題を解決するための手段】
【０００４】
上記技術課題を解決するために、本発明で採用される解決手段の一つは、プロジェクタの制御システムを提供する。前記制御システムは、メインコントローラ、動的電流調節モジュール、カラーホイールコントローラ、カラーホイール回動フィードバックモジュールおよび光源を含み、
前記動的電流調節モジュールは、ＤＬＰモジュール、光源コントローラおよび電源モジュールを含み、
前記カラーホイールコントローラは、ＤＬＰモジュールの制御信号に基づいてカラーホイールの回動を制御し、前記カラーホイール回転数フィードバックモジュールは、カラーホイールの実回転数を含むフィードバック信号を生成し、
前記ＤＬＰモジュールは、前記カラーホイール回転数フィードバックモジュールから発された前記フィードバック信号を受信し、
前記メインコントローラは、光源の輝度情報を含む動的輝度情報を前記ＤＬＰモジュールに送信し、
前記ＤＬＰモジュールは、メインコントローラの動的輝度情報を受信し、前記カラーホイール回動フィードバックモジュールのフィードバック信号に基づいて、処理後の動的輝度情報および制御信号を前記光源コントローラに送信し、前記ＤＬＰモジュールが送信する処理後の動的輝度情報は、光源の輝度情報とカラーホイールセグメントに整合する時系列制御情報とを含み、
前記光源コントローラは、受信した、ＤＬＰモジュールから送信された処理後の動的輝度情報と制御信号に基づいて、電源モジュールが電源スイッチをオンにして対応する電流値を出力するように制御し、
前記電源モジュールは、出力された対応する電流値に基づいて、光源の発光を駆動する。
【０００５】
以上の技術課題を解決するために、本発明は、プロジェクタの制御システムをさらに提供する。前記制御システムは、メインコントローラ、カラーホイール保護・動的電流調節モジュール、カラーホイールコントローラおよび光源を含み、
前記カラーホイール保護・動的電流調節モジュールは、ＤＬＰモジュール、光源コントローラ、カラーホイール回動フィードバックモジュールおよび電源モジュールを含み、
前記カラーホイールコントローラは、ＤＬＰモジュールの制御信号に基づいてカラーホイールの回動を制御し、前記カラーホイール回転数フィードバックモジュールは、前記カラーホイールが回動した後で、カラーホイールの実回転数を含むフィードバック信号を生成し、
前記ＤＬＰモジュールおよび前記光源コントローラは、前記カラーホイール回転数フィードバックモジュールから発されたフィードバック信号を受信し、
前記メインコントローラは、光源の輝度情報を含む動的輝度情報を前記ＤＬＰモジュールに送信し、
前記ＤＬＰモジュールは、メインコントローラの動的輝度情報を受信し、前記カラーホイール回動フィードバックモジュールのフィードバック信号に基づいて、処理後の動的輝度情報および制御信号を前記光源コントローラに送信し、前記ＤＬＰモジュールが送信する処理後の動的輝度情報は、光源の輝度情報とカラーホイールセグメントに整合する時系列制御情報とを含み、
前記光源コントローラは、前記フィードバック信号におけるカラーホイールの実回転数が目標に達すると、受信したＤＬＰモジュールから送信された処理後の動的輝度情報と制御信号に基づいて、電源モジュールが電源スイッチをオンにして対応する電流値を出力するように制御し、
前記電源モジュールは、出力された対応する電流値に基づいて、光源の発光を駆動する。
【０００６】
以上の技術課題を解決するために、本発明は、プロジェクタの制御方法をさらに提供する。前記制御方法は、メインコントローラ、動的電流調節モジュール、カラーホイールコントローラ、カラーホイール回転数フィードバックモジュールおよび光源によって実施され、
前記動的電流調節モジュールは、ＤＬＰモジュール、光源コントローラおよび電源モジュールを含み、
前記制御方法において、
前記カラーホイールコントローラは、ＤＬＰモジュールの制御信号に基づいてカラーホイールの回動を制御し、前記カラーホイール回転数フィードバックモジュールは、前記カラーホイールが回動した後で、カラーホイールの実回転数を含むフィードバック信号を生成し、
前記ＤＬＰモジュールは、前記フィードバック信号を受信し、ＤＬＰモジュールは、前記フィードバック信号に含まれるカラーホイールの実回転数がシステムの所定のカラーホイール回転数を超えるか否かを判断し、前記カラーホイールの実回転数がシステムの所定のカラーホイール回転数を超えるときに、前記ＤＬＰモジュールは、処理後の動的輝度情報と制御信号を前記光源コントローラに送信し、前記光源コントローラは、受信された制御信号に基づいて、電源モジュールが電源スイッチをオンにして対応する電流値を出力するように制御し、前記ＤＬＰモジュールが送信する処理後の動的輝度情報は、光源の輝度情報とカラーホイールセグメントに整合する時系列制御情報とを含み、前記電源モジュールは、出力された対応する電流値に基づいて、光源の発光を駆動し、
カラーホイールの実回転数がシステムの所定のカラーホイール回転数を超えないときに、前記ＤＬＰモジュールは、カラーホイールの実回転数がシステムの所定のカラーホイール回転数を超えるまで、制御信号をカラーホイールコントローラに送信して前記カラーホイールの回動を調整する。
【０００７】
以上の技術課題を解決するために、本発明は、プロジェクタの制御方法をさらに提供する。前記制御方法は、メインコントローラ、カラーホイール保護・動的電流調節モジュール、カラーホイールコントローラおよび光源によって実施され、
前記カラーホイール保護・動的電流調節モジュールは、ＤＬＰモジュール、光源コントローラ、カラーホイール回動フィードバックモジュールおよび電源モジュールを含み、
前記制御方法において、
前記カラーホイールコントローラは、ＤＬＰモジュールの制御信号に基づいてカラーホイールの回動を制御し、前記カラーホイール回転数フィードバックモジュールは、カラーホイールの実回転数を含むフィードバック信号を生成し、
前記ＤＬＰモジュールと前記光源コントローラは、何れも前記フィードバック信号を受信し、何れも前記フィードバック信号に含まれるカラーホイール回転数がシステムの所定のカラーホイール回転数を超えるか否かを判断し、
ＤＬＰモジュールは、前記カラーホイールの実回転数がシステムの所定のカラーホイール回転数を超えると判断したときに、処理後の動的輝度情報と制御信号を前記光源コントローラに送信し、
前記ＤＬＰモジュールは、前記カラーホイールの実回転数がシステムの所定のカラーホイール回転数を超えないと判断したときに、カラーホイールの実回転数がシステムの所定のカラーホイール回転数を超えるまで、制御信号をカラーホイールコントローラに送信して前記カラーホイールの回動を調整し、
前記光源コントローラは、前記カラーホイールの実回転数がシステムの所定のカラーホイール回転数を超えると判断したときに、受信された制御信号に基づいて、電源モジュールが電源スイッチをオンにして対応する電流値を出力するように制御し、前記光源コントローラは、前記カラーホイールの実回転数がシステムの所定のカラーホイール回転数を超えないと判断したときに、電源モジュールがオフ状態を維持するように制御し、
電源モジュールは、出力された対応する電流値に基づいて、光源の発光を駆動し、
ＤＬＰモジュールが送信する処理後の動的輝度情報は、光源の輝度情報とカラーホイールセグメントに整合する時系列制御情報とを含む。
【発明の効果】
【０００８】
以上の解決手段によれば、動的電流調節モジュールは、カラーホイール回転数フィードバックモジュールによりカラーホイールの実回転数情報をリアルタイムでフィードバックし、ＤＬＰモジュールは、ＤＬＰモジュールが異なる動的輝度情報を発する時間間隔がカラーホイールの実回転数に整合するように、カラーホイールの実回転数情報に基づいて、各動的輝度情報を発する時系列制御情報を調整し、さらにプロジェクタの結像効果を確保するとともに、カラーホイールの局所的な損傷をも回避する。
【図面の簡単な説明】
【０００９】
【図１】本発明の一実施形態による制御システムを含むプロジェクタの模式的なブロック図
【図２】本発明の別の実施形態の制御システムを含むプロジェクタの模式的なブロック図
【図３】図１の実施形態のプロジェクタに対応する制御方法の動作フローチャート
【図４】図２の実施形態のプロジェクタに対応する制御方法の動作フローチャート
【発明を実施するための形態】
【００１０】
以下、図面および実施形態を参照しながら本発明を詳細に説明する。
【００１１】
図１を参照すると、本発明に係るプロジェクタ制御システムは、プロジェクタに適用され、当該制御システム１００は、メインコントローラ１０、動的電流調節モジュール９０、カラーホイールコントローラ３０、カラーホイール回転数フィードバックモジュール４０および光源７０を含む。
【００１２】
具体的には、動的電流調節モジュール９０は、ＤＬＰモジュール２０、光源コントローラ５０および電源モジュール６０を含む。
【００１３】
メインコントローラ１０は、目標回転数情報および動的輝度情報（すなわち、複数の輝度値の異なる輝度情報）をＤＬＰモジュール２０に送信する。
【００１４】
ＤＬＰモジュール２０は、目標回転数情報に基づいて制御信号を生成し、カラーホイールコントローラ３０に伝送する。同時に、メインコントローラ１０から送信された動的輝度情報、および、カラーホイール回転数フィードバックモジュール４０から発された、カラーホイールの実回転数を含むフィードバック信号に基づいて、処理後の動的輝度情報（動的とは、複数の輝度値の異なる輝度情報にそれぞれ対応することを指す）を生成して光源コントローラ５０に伝送し、処理後の動的輝度情報は、光源の輝度情報と、カラーホイールの実回転数に応じてカラーホイールセグメントに整合する時系列制御情報とを含む。
【００１５】
カラーホイールコントローラ３０は、制御信号に基づいて、カラーホイール８０が一定の速度で回動するように制御する。
【００１６】
カラーホイール回転数フィードバックモジュール４０は、カラーホイールの実回転数情報をフィードバックする。具体的には、本実施例では、カラーホイール回転数フィードバックモジュール４０がカラーホイール８０の実回転数情報をＤＬＰモジュール２０にフィードバックすることで、ＤＬＰモジュール２０が処理後の動的輝度情報を発する時間間隔が、カラーホイールのセグメントに整合するように、ＤＬＰモジュール２０は、実回転数情報に基づいて時系列制御情報を調整する。
【００１７】
光源コントローラ５０は、ＤＬＰモジュール２０から伝送された処理後の動的輝度情報に基づいて、光源７０の発光を駆動するために、対応する電流値を出力するように電源モジュール６０を制御する。
【００１８】
メインコントローラ１０が発する動的輝度情報（輝度値が変化する輝度情報）は、カラーホイール８０上の複数のカラーホイール領域にそれぞれ対応すると理解され得る。ＤＬＰモジュール２０は、処理後の輝度情報がカラーホイールの複数の領域のうちの何れか１つのカラーホイール領域に１対１で対応するように、異なる輝度情報に基づいて、処理後の輝度情報の時間間隔を発する。理解を容易にするために、以下さらに説明する。図１に示すように、カラーホイールは、Ａ領域とＢ領域とを含み、ＤＬＰモジュール２０がカラーホイールＡ領域に対応する第１処理後の輝度情報を発してからカラーホイールＢ領域に対応する第２処理後の輝度情報を発するまでの時間間隔は、Ｔである。ＤＬＰモジュール２０は、カラーホイールＡ領域に対応する第１処理後の輝度情報を光源コントローラ５０に発し、光源コントローラ５０は、受信された輝度情報に基づいて、電源モジュール６０が対応する電流値を出力するように制御し、光源の発光輝度は、電源モジュール６０によって発される電流値の大きさによって制御されるため、電源モジュール６０は、出力された対応する電流値に基づいて、光源７０の発光を駆動し、最初に光線がちょうどＡ領域のＡ１に作用し、カラーホイール８０の時計回りの回動に伴って（他の実施例では、カラーホイール８０は反時計回りの回動であってもよい）、光線の作用位置がＡ１からＡ２に移動する。全過程において、Ａ領域に作用する光線強度が変わらず、当該光線強度が第１処理後の輝度情報によって決定され、かつ、光線がＡ１に作用してから光線がＡ２に作用するまでの時間長さは、ちょうどＴに等しい。すなわち、この時間間隔内に電源モジュール６０が発する電流値は、変化しない。ＤＬＰモジュール２０は、カラーホイール領域Ｂに対応する第２処理後の輝度情報を発し、Ｂ領域に作用する光線強度の大きさは、第２処理後の輝度情報によって決定され、かつ、当該強度下の光線がＢ領域に作用する時間長さは、ちょうどＤＬＰモジュール２０が第２処理後の輝度情報を発してからＤＬＰモジュール２０が次の処理後の輝度情報を発するまでの時間間隔に等しく、すなわち、この時間間隔内に電源モジュール６０が発する電流値は、変化しない。
【００１９】
以上の実施例に係るプロジェクタ制御システムは、カラーホイール回転数フィードバックモジュール４０によりカラーホイール８０の実回転数情報をリアルタイムでフィードバックし、ＤＬＰモジュール２０は、光源７０が処理後の輝度情報度に応じて発する光線が作用する領域が何れも、ちょうどカラーホイール８０上の対応する各領域に対応するように、カラーホイール８０の実回転数に基づいて、異なる処理後の輝度情報をＤＬＰモジュール２０に送信する時間間隔をリアルタイムで調整することで、カラーホイール８０の実回転数に整合することを保証する。光源７０の輝度は、電源モジュール６０によって発される電流値の大きさによって制御されるため、各時間間隔内において、電源モジュール６０が発する電流値は同じである。これによって、電流動的調節の目的を実現し、さらにプロジェクタの結像効果を確保する。
【００２０】
よりさらに、ＤＬＰモジュール２０は、カラーホイール回動の１回転に対応する電源モジュール６０の電流の大きさを動的に調節することができ、この場合、カラーホイール８０が１回転回動する度に、対応する電源モジュール６０の電流の大きさが１回変化するが、もちろん、カラーホイールが複数回転回動する度に、対応する電源モジュール６０の電流の大きさが１回変更してもよい。理解され得ることとしては、カラーホイールが完全に１回転または複数回転回動する度に、ＤＬＰモジュール２０は、カラーホイールに対応して処理後の輝度情報を光源コントローラ５０に発し、光源コントローラ５０は、電源モジュール６０が対応する電流値を出力するように制御し、光源の輝度が電源モジュール６０によって制御されて発光するため、光源７０は、対応する電流の大きさに応じて発光する。これにより、電流動的調節の目的を実現し、さらにプロジェクタの結像効果を確保する。
【００２１】
具体的には、一実施例では、ＤＬＰモジュール２０は、フィードバック信号に含まれるカラーホイールの実回転数がシステムの所定のカラーホイール回転数以上であるか否かを判断し、そうであれば、ＤＬＰモジュール２０は、制御信号を光源コントローラ５０に送信し、電源コントローラ５０は、受信された制御信号に基づいて、電源モジュール６０が電源スイッチをオンにするように制御し、同時に、ＤＬＰモジュール２０は、動的輝度情報を光源コントローラ５０に送信し、これにより、電源モジュール６０が対応する電流値を出力するように制御する。このような構成を採用することにより、カラーホイール８０の回転数が目標に達しない場合に、電源モジュール６０のスイッチをオンにしないことにより、カラーホイール８０の回転数が遅すぎて、光線がカラーホイール８０のある領域に照射する時間が長く過ぎて、カラーホイール８０を焼損することは、回避することができる。
【００２２】
好ましくは、カラーホイール８０が１回転回動する度に、カラーホイール回動フィードバックモジュール４０は、カラーホイールの実回転数を含むフィードバック信号を発する。他の実施例では、カラーホイールは、半回転または２回転、または他の所定数の回転回動して、カラーホイールの実回転数を含むフィードバック信号を定期で発してもよい。
【００２３】
図２を参照すると、別の実施形態では、動的調節の役割を果たす部位は、カラーホイール保護・動的電流調節モジュール９０ａであり、当該カラーホイール保護・動的電流調節モジュール９０ａは、ＤＬＰモジュール２０ａ、光源コントローラ５０ａ、カラーホイール回動フィードバックモジュール４０ａおよび電源モジュール６０ａを含む。第１実施例との相違点としては、カラーホイール回転数フィードバックモジュール４０ａは、カラーホイールの実回転数情報をＤＬＰモジュールにフィードバックするだけではなく、さらにカラーホイール８０ａの実回転数情報を光源コントローラ５０ａにフィードバックし、光源コントローラ５０ａは、実回転数情報に基づいて、カラーホイール８０ａの実回転数が所定の回転数標準に達するか否かを判断し、回転数標準に達し且つＤＬＰモジュール２０ａが処理後の動的輝度情報を出力すると同時に、電源モジュール６０ａが駆動電流値を生成するように制御し、カラーホイールの安全性を保護する前提で、電流動的調節の目的を実現し、さらにプロジェクタの結像効果を確保する。
【００２４】
このような設計要求の下で、カラーホイールの実回転数がシステムの所定のカラーホイール回転数を超えないとＤＬＰモジュール２０ａと光源コントローラ５０ａのいずれかが判断したときに、電源モジュール６０ａは、電源スイッチをオンにしないが、第１実施例のＤＬＰモジュールが電源モジュールの電源スイッチを個別に制御する場合に比べて、本実施例は、二重保護の作用を奏することができ、ＤＬＰモジュールのシステム異常に起因して電源モジュールの電源スイッチを誤ってオンすることはなく、カラーホイールの破損を回避する。
【００２５】
上記実回転数が所定の回転数標準に達するか否かとは、フィードバック信号に含まれるカラーホイールの実回転数がシステムの所定のカラーホイール回転数以上であるときに、回転数標準に達することを意味し、通常の場合、ＤＬＰモジュールと光源コントローラにおいてシステムの所定のカラーホイール回転数は同じであるが、ＤＬＰモジュールと光源コントローラにおいてシステムの所定のカラーホイール回転数は異なってもよい。
【００２６】
本発明は、プロジェクタの制御方法をさらに提供する。図１および図３を参照すると、当該制御方法は、メインコントローラ１０、動的電流調節モジュール９０、カラーホイールコントローラ３０、カラーホイール回転数フィードバックモジュール４０および光源７０を含む。
【００２７】
動的電流調節モジュール９０は、ＤＬＰモジュール２０、光源コントローラ５０および電源モジュール６０を含む。
【００２８】
カラーホイールコントローラ３０は、ＤＬＰモジュール２０の制御信号に基づいて、カラーホイール８０の回動を制御し、カラーホイール回転数フィードバックモジュール４０は、カラーホイールの実回転数を含むフィードバック信号を生成する。
【００２９】
ＤＬＰモジュール２０は、当該フィードバック信号を受信し、ＤＬＰモジュール２０は、当該フィードバック信号に含まれるカラーホイール回転数がシステムの所定のカラーホイール回転数を超えるか否かを判断し、カラーホイールの実回転数がシステムの所定のカラーホイール回転数を超えるときに、ＤＬＰモジュール２０は、処理後の動的輝度情報と制御信号を光源コントローラ５０に送信し、前記光源コントローラ５０は、受信された制御信号に基づいて、電源モジュール６０が電源スイッチをオンにして対応する電流値を出力するように制御し、ＤＬＰモジュール２０が送信する処理後の動的輝度情報は、光源の輝度情報とカラーホイールセグメントに整合する時系列制御情報とを含み、電源モジュール６０は、出力された対応する電流値に基づいて、光源７０の発光を駆動する。
【００３０】
ただし、メインコントローラ１０は、動的輝度情報をＤＬＰモジュール２０に送信し、メインコントローラが送信する動的輝度情報は、光源の輝度情報を含む。
【００３１】
カラーホイールの実回転数がシステムの所定のカラーホイール回転数を超えないときに、ＤＬＰモジュール２０は、カラーホイールの実回転数がシステムの所定のカラーホイール回転数を超えるまで、制御信号をカラーホイールコントローラ３０に送信してカラーホイール８０の回動を調整する。
【００３２】
図２および図４を参照すると、別の実施例のプロジェクタの制御方法では、動的調節の役割を果たす部分は、カラーホイール保護・動的電流調節モジュール９０ａであり、カラーホイール保護・動的電流調節モジュール９０ａは、ＤＬＰモジュール２０ａ、光源コントローラ５０ａ、カラーホイール回動フィードバックモジュール４０ａおよび電源モジュール６０ａを含む。
【００３３】
本実施例と先の実施例との相違点としては、ＤＬＰモジュール２０ａと光源コントローラ５０ａは、何れもカラーホイール回動フィードバックモジュール４０ａから発されたフィードバック信号を受信し、何れも当該フィードバック信号に含まれるカラーホイール回転数がシステムの所定のカラーホイール回転数を超えるか否かを判断する。ＤＬＰモジュール２０ａは、前記カラーホイールの実回転数がシステムの所定のカラーホイール回転数を超えると判断したときに、処理後の動的輝度情報と制御信号を前記光源コントローラ５０ａに送信する。
【００３４】
ＤＬＰモジュール２０ａは、前記カラーホイールの実回転数がシステムの所定のカラーホイール回転数を超えないと判断したときに、カラーホイールの実回転数がシステムの所定のカラーホイール回転数を超えるまで、制御信号をカラーホイールコントローラ３０ａに送信して前記カラーホイールの回動を調整する。
【００３５】
光源コントローラ５０ａは、前記カラーホイールの実回転数がシステムの所定のカラーホイール回転数を超えると判断したときに、受信された制御信号に基づいて、電源モジュール６０ａが電源スイッチをオンにして対応する電流値を出力するように制御する。光源コントローラ５０ａは、カラーホイールの実回転数がシステムの所定のカラーホイール回転数を超えないと判断したときに、電源モジュール６０ａがオフ状態を維持するように制御する。
【００３６】
以上の方法についてさらに説明すると、カラーホイールの実回転数がシステムの所定のカラーホイール回転数を超えないときに、当該ＤＬＰモジュール２０ａは、カラーホイールの実回転数がシステムの所定のカラーホイール回転数を超えるまで、制御信号をカラーホイールコントローラ３０ａに送信してカラーホイール８０ａの回動を調整する。カラーホイールの実回転数がシステムの所定のカラーホイール回転数を超えない場合、光源コントローラ５０ａは、電源モジュール６０ａが対応する電流値を出力するように制御することではなく、光源７０ａはオフ状態を維持する。このようにすることにより、カラーホイール８０ａに対して二重保護の作用を奏することができ、ＤＬＰモジュール２０ａが破損してカラーホイールの実回転数に応じて対応する調整ができなくても、カラーホイールの実回転数がシステムの所定のカラーホイール回転数よりも小さいときに電源モジュール６０ａの電源スイッチを誤ってオンすることはなく、カラーホイール８０ａの破損を回避する。
【００３７】
以上の説明は、単に本発明の実施形態に過ぎず、本発明の特許請求の範囲を制限するためのものではない。本発明の明細書および図面の内容を利用してなされる等価な構造や等価なフロー変換、または他の関連する技術分野における直接または間接的な運用は、何れも同様な理由により本発明の特許請求の範囲に含まれる。
【図１】
2020526144.tif 000003
【図２】
2020526144.tif 000004
【図３】
2020526144.tif 000005
【図４】
2020526144.tif 000006
【手続補正書】
【提出日】令和2年3月13日(2020.3.13)
【手続補正１】
【補正対象書類名】明細書
【補正対象項目名】０００４
【補正方法】変更
【補正の内容】
【０００４】
上記技術課題を解決するために、本発明で採用される解決手段の一つは、プロジェクタの制御システムを提供する。前記制御システムは、メインコントローラ、動的電流調節モジュール、カラーホイールコントローラ、カラーホイール回転数フィードバックモジュールおよび光源を含み、
前記動的電流調節モジュールは、ＤＬＰモジュール、光源コントローラおよび電源モジュールを含み、
前記カラーホイールコントローラは、ＤＬＰモジュールの制御信号に基づいてカラーホイールの回動を制御し、前記カラーホイール回転数フィードバックモジュールは、カラーホイールの実回転数を含むフィードバック信号を生成し、
前記ＤＬＰモジュールは、前記カラーホイール回転数フィードバックモジュールから発された前記フィードバック信号を受信し、
前記メインコントローラは、光源の輝度情報を含む動的輝度情報を前記ＤＬＰモジュールに送信し、
前記ＤＬＰモジュールは、メインコントローラの動的輝度情報を受信し、前記カラーホイール回転数フィードバックモジュールのフィードバック信号に基づいて、処理後の動的輝度情報および制御信号を前記光源コントローラに送信し、前記ＤＬＰモジュールが送信する処理後の動的輝度情報は、光源の輝度情報とカラーホイールセグメントに整合する時系列制御情報とを含み、
前記光源コントローラは、受信した、ＤＬＰモジュールから送信された処理後の動的輝度情報と制御信号に基づいて、電源モジュールが電源スイッチをオンにして対応する電流値を出力するように制御し、
前記電源モジュールは、出力された対応する電流値に基づいて、光源の発光を駆動する。
【手続補正２】
【補正対象書類名】明細書
【補正対象項目名】０００５
【補正方法】変更
【補正の内容】
【０００５】
以上の技術課題を解決するために、本発明は、プロジェクタの制御システムをさらに提供する。前記制御システムは、メインコントローラ、カラーホイール保護・動的電流調節モジュール、カラーホイールコントローラおよび光源を含み、
前記カラーホイール保護・動的電流調節モジュールは、ＤＬＰモジュール、光源コントローラ、カラーホイール回転数フィードバックモジュールおよび電源モジュールを含み、
前記カラーホイールコントローラは、ＤＬＰモジュールの制御信号に基づいてカラーホイールの回動を制御し、前記カラーホイール回転数フィードバックモジュールは、前記カラーホイールが回動した後で、カラーホイールの実回転数を含むフィードバック信号を生成し、
前記ＤＬＰモジュールおよび前記光源コントローラは、前記カラーホイール回転数フィードバックモジュールから発されたフィードバック信号を受信し、
前記メインコントローラは、光源の輝度情報を含む動的輝度情報を前記ＤＬＰモジュールに送信し、
前記ＤＬＰモジュールは、メインコントローラの動的輝度情報を受信し、前記カラーホイール回転数フィードバックモジュールのフィードバック信号に基づいて、処理後の動的輝度情報および制御信号を前記光源コントローラに送信し、前記ＤＬＰモジュールが送信する処理後の動的輝度情報は、光源の輝度情報とカラーホイールセグメントに整合する時系列制御情報とを含み、
前記光源コントローラは、前記フィードバック信号におけるカラーホイールの実回転数が目標に達すると、受信したＤＬＰモジュールから送信された処理後の動的輝度情報と制御信号に基づいて、電源モジュールが電源スイッチをオンにして対応する電流値を出力するように制御し、
前記電源モジュールは、出力された対応する電流値に基づいて、光源の発光を駆動する。
【手続補正３】
【補正対象書類名】明細書
【補正対象項目名】０００７
【補正方法】変更
【補正の内容】
【０００７】
以上の技術課題を解決するために、本発明は、プロジェクタの制御方法をさらに提供する。前記制御方法は、メインコントローラ、カラーホイール保護・動的電流調節モジュール、カラーホイールコントローラおよび光源によって実施され、
前記カラーホイール保護・動的電流調節モジュールは、ＤＬＰモジュール、光源コントローラ、カラーホイール回転数フィードバックモジュールおよび電源モジュールを含み、
前記制御方法において、
前記カラーホイールコントローラは、ＤＬＰモジュールの制御信号に基づいてカラーホイールの回動を制御し、前記カラーホイール回転数フィードバックモジュールは、カラーホイールの実回転数を含むフィードバック信号を生成し、
前記ＤＬＰモジュールと前記光源コントローラは、何れも前記フィードバック信号を受信し、何れも前記フィードバック信号に含まれるカラーホイール回転数がシステムの所定のカラーホイール回転数を超えるか否かを判断し、
ＤＬＰモジュールは、前記カラーホイールの実回転数がシステムの所定のカラーホイール回転数を超えると判断したときに、処理後の動的輝度情報と制御信号を前記光源コントローラに送信し、
前記ＤＬＰモジュールは、前記カラーホイールの実回転数がシステムの所定のカラーホイール回転数を超えないと判断したときに、カラーホイールの実回転数がシステムの所定のカラーホイール回転数を超えるまで、制御信号をカラーホイールコントローラに送信して前記カラーホイールの回動を調整し、
前記光源コントローラは、前記カラーホイールの実回転数がシステムの所定のカラーホイール回転数を超えると判断したときに、受信された制御信号に基づいて、電源モジュールが電源スイッチをオンにして対応する電流値を出力するように制御し、前記光源コントローラは、前記カラーホイールの実回転数がシステムの所定のカラーホイール回転数を超えないと判断したときに、電源モジュールがオフ状態を維持するように制御し、
電源モジュールは、出力された対応する電流値に基づいて、光源の発光を駆動し、
ＤＬＰモジュールが送信する処理後の動的輝度情報は、光源の輝度情報とカラーホイールセグメントに整合する時系列制御情報とを含む。
【手続補正４】
【補正対象書類名】明細書
【補正対象項目名】００２２
【補正方法】変更
【補正の内容】
【００２２】
好ましくは、カラーホイール８０が１回転回動する度に、カラーホイール回転数フィードバックモジュール４０は、カラーホイールの実回転数を含むフィードバック信号を発する。他の実施例では、カラーホイールは、半回転または２回転、または他の所定数の回転回動して、カラーホイールの実回転数を含むフィードバック信号を定期で発してもよい。
【手続補正５】
【補正対象書類名】明細書
【補正対象項目名】００２３
【補正方法】変更
【補正の内容】
【００２３】
図２を参照すると、別の実施形態では、動的調節の役割を果たす部位は、カラーホイール保護・動的電流調節モジュール９０ａであり、当該カラーホイール保護・動的電流調節モジュール９０ａは、ＤＬＰモジュール２０ａ、光源コントローラ５０ａ、カラーホイール回転数フィードバックモジュール４０ａおよび電源モジュール６０ａを含む。第１実施例との相違点としては、カラーホイール回転数フィードバックモジュール４０ａは、カラーホイールの実回転数情報をＤＬＰモジュールにフィードバックするだけではなく、さらにカラーホイール８０ａの実回転数情報を光源コントローラ５０ａにフィードバックし、光源コントローラ５０ａは、実回転数情報に基づいて、カラーホイール８０ａの実回転数が所定の回転数標準に達するか否かを判断し、回転数標準に達し且つＤＬＰモジュール２０ａが処理後の動的輝度情報を出力すると同時に、電源モジュール６０ａが駆動電流値を生成するように制御し、カラーホイールの安全性を保護する前提で、電流動的調節の目的を実現し、さらにプロジェクタの結像効果を確保する。
【手続補正６】
【補正対象書類名】明細書
【補正対象項目名】００３２
【補正方法】変更
【補正の内容】
【００３２】
図２および図４を参照すると、別の実施例のプロジェクタの制御方法では、動的調節の役割を果たす部分は、カラーホイール保護・動的電流調節モジュール９０ａであり、カラーホイール保護・動的電流調節モジュール９０ａは、ＤＬＰモジュール２０ａ、光源コントローラ５０ａ、カラーホイール回転数フィードバックモジュール４０ａおよび電源モジュール６０ａを含む。
【手続補正７】
【補正対象書類名】明細書
【補正対象項目名】００３３
【補正方法】変更
【補正の内容】
【００３３】
本実施例と先の実施例との相違点としては、ＤＬＰモジュール２０ａと光源コントローラ５０ａは、何れもカラーホイール回転数フィードバックモジュール４０ａから発されたフィードバック信号を受信し、何れも当該フィードバック信号に含まれるカラーホイール回転数がシステムの所定のカラーホイール回転数を超えるか否かを判断する。ＤＬＰモジュール２０ａは、前記カラーホイールの実回転数がシステムの所定のカラーホイール回転数を超えると判断したときに、処理後の動的輝度情報と制御信号を前記光源コントローラ５０ａに送信する。
【手続補正８】
【補正対象書類名】特許請求の範囲
【補正対象項目名】全文
【補正方法】変更
【補正の内容】
【特許請求の範囲】
【請求項１】
プロジェクタの制御システムであって、
前記制御システムは、メインコントローラ、動的電流調節モジュール、カラーホイールコントローラ、カラーホイール回転数フィードバックモジュールおよび光源を含み、
前記動的電流調節モジュールは、ＤＬＰモジュール、光源コントローラおよび電源モジュールを含み、
前記カラーホイールコントローラは、ＤＬＰモジュールの制御信号に基づいてカラーホイールの回動を制御し、前記カラーホイール回転数フィードバックモジュールは、カラーホイールの実回転数を含むフィードバック信号を生成し、
前記ＤＬＰモジュールは、前記カラーホイール回転数フィードバックモジュールから発された前記フィードバック信号を受信し、
前記メインコントローラは、光源の輝度情報を含む動的輝度情報を前記ＤＬＰモジュールに送信し、
前記ＤＬＰモジュールは、メインコントローラの動的輝度情報を受信し、前記カラーホイール回転数フィードバックモジュールのフィードバック信号に基づいて処理後の動的輝度情報と制御信号を前記光源コントローラに送信し、前記ＤＬＰモジュールが送信する処理後の動的輝度情報は、光源の輝度情報とカラーホイールセグメントに整合する時系列制御情報とを含み、
前記光源コントローラは、受信した、ＤＬＰモジュールから送信された処理後の動的輝度情報と制御信号に基づいて、電源モジュールが電源スイッチをオンにして対応する電流値を出力するように制御し、
前記電源モジュールは、出力された対応する電流値に基づいて、光源の発光を駆動することを特徴とするプロジェクタの制御システム。
【請求項２】
前記ＤＬＰモジュールは、前記フィードバック信号に含まれるカラーホイールの実回転数がシステムの所定のカラーホイール回転数以上であるか否かを判断し、前記フィードバック信号に含まれるカラーホイールの実回転数がシステムの所定のカラーホイール回転数以上である場合に、前記動的輝度情報および制御信号を前記光源コントローラに送信することにより、電源モジュールが電源スイッチをオンにして対応する電流値を出力するように制御することを特徴とする請求項１に記載の制御システム。
【請求項３】
前記カラーホイールは、複数のカラーホイール領域に区分され、前記光源から発された光線は、前記カラーホイールの回動中において前記カラーホイール領域に順に作用し、前記ＤＬＰモジュールは、前記時系列制御情報が前記カラーホイール領域に対する前記光線の作用時間に整合するように、前記時系列制御情報を調整することを特徴とする請求項１に記載の制御システム。
【請求項４】
前記輝度情報は、それぞれ前記複数のカラーホイール領域に対応し、前記メインコントローラは、前記光線が前記複数のカラーホイール領域のうちの何れか１つのカラーホイール領域に作用し始めると同時に、前記ＤＬＰモジュールが前記動的輝度情報を前記光源コントローラに送信して前記何れか１つのカラーホイール領域に対応させるように、前記時系列制御情報を調整することを特徴とする請求項１に記載の制御システム。
【請求項５】
プロジェクタの制御システムであって、
前記制御システムは、メインコントローラ、カラーホイール保護・動的電流調節モジュール、カラーホイールコントローラおよび光源を含み、
前記カラーホイール保護・動的電流調節モジュールは、ＤＬＰモジュール、光源コントローラ、カラーホイール回転数フィードバックモジュールおよび電源モジュールを含み、
前記カラーホイールコントローラは、ＤＬＰモジュールの制御信号に基づいてカラーホイールの回動を制御し、前記カラーホイール回転数フィードバックモジュールは、カラーホイールの実回転数を含むフィードバック信号を生成し、
前記ＤＬＰモジュールおよび前記光源コントローラは、前記カラーホイール回転数フィードバックモジュールから発されたフィードバック信号を受信し、
前記メインコントローラは、光源の輝度情報を含む動的輝度情報を前記ＤＬＰモジュールに送信し、
前記ＤＬＰモジュールは、メインコントローラの動的輝度情報を受信し、前記カラーホイール回転数フィードバックモジュールのフィードバック信号に基づいて、処理後の動的輝度情報と制御信号を前記光源コントローラに送信し、前記ＤＬＰモジュールが送信する処理後の動的輝度情報は、光源の輝度情報とカラーホイールセグメントに整合する時系列制御情報とを含み、
前記光源コントローラは、前記フィードバック信号におけるカラーホイールの実回転数が目標に達すると、受信したＤＬＰモジュールから送信された処理後の動的輝度情報と制御信号に基づいて、電源モジュールが電源スイッチをオンにして対応する電流値を出力するように制御し、
前記電源モジュールは、出力された対応する電流値に基づいて、光源の発光を駆動することを特徴とする制御システム。
【請求項６】
前記ＤＬＰモジュールおよび前記光源コントローラは、何れも前記フィードバック信号に含まれるカラーホイールの実回転数がシステムの所定のカラーホイール回転数以上であるか否かを判断し、前記ＤＬＰモジュールは、前記フィードバック信号に含まれるカラーホイールの実回転数がシステムの所定のカラーホイール回転数以上であると判断したときに、前記動的輝度情報と制御信号を前記光源コントローラに送信し、前記光源コントローラは、前記フィードバック信号に含まれるカラーホイールの実回転数がシステムの所定のカラーホイール回転数以上であると判断したときに、前記動的輝度情報に基づいて、電源モジュールが電源スイッチをオンにして対応する電流値を出力するように制御することを特徴とする請求項５に記載の制御システム。
【請求項７】
前記カラーホイールは、複数のカラーホイール領域に区分され、前記光源から発された光線は、前記カラーホイールの回動中において前記カラーホイール領域に順に作用し、前記ＤＬＰモジュールは、前記時系列制御情報が前記カラーホイール領域に対する前記光線の作用時間に整合するように、前記時系列制御情報を調整することを特徴とする請求項５に記載の制御システム。
【請求項８】
前記輝度情報は、それぞれ前記複数のカラーホイール領域に対応し、前記メインコントローラは、前記光線が前記複数のカラーホイール領域のうちの何れか１つのカラーホイール領域に作用し始めると同時に、前記ＤＬＰモジュールが前記動的輝度情報を前記光源コントローラに送信して前記何れか１つのカラーホイール領域に対応させるように、前記時系列制御情報を調整することを特徴とする請求項５に記載の制御システム。
【請求項９】
プロジェクタの制御方法であって、
前記制御方法は、メインコントローラ、動的電流調節モジュール、カラーホイールコントローラ、カラーホイール回転数フィードバックモジュールおよび光源によって実施され、
前記動的電流調節モジュールは、ＤＬＰモジュール、光源コントローラおよび電源モジュールを含み、
前記制御方法において、
前記カラーホイールコントローラは、ＤＬＰモジュールの制御信号に基づいてカラーホイールの回動を制御し、前記カラーホイール回転数フィードバックモジュールは、前記カラーホイールが回動した後で、カラーホイールの実回転数を含むフィードバック信号を生成し、
前記ＤＬＰモジュールは、前記フィードバック信号を受信し、前記フィードバック信号に含まれるカラーホイールの実回転数がシステムの所定のカラーホイール回転数を超えるか否かを判断し、
前記カラーホイールの実回転数がシステムの所定のカラーホイール回転数を超えるときに、前記ＤＬＰモジュールは、処理後の動的輝度情報と制御信号を前記光源コントローラに送信し、前記光源コントローラは、受信された制御信号に基づいて、電源モジュールが電源スイッチをオンにして対応する電流値を出力するように制御し、前記ＤＬＰモジュールが送信する処理後の動的輝度情報は、光源の輝度情報とカラーホイールセグメントに整合する時系列制御情報とを含み、前記電源モジュールは、出力された対応する電流値に基づいて、光源の発光を駆動し、
カラーホイールの実回転数がシステムの所定のカラーホイール回転数を超えないときに、前記ＤＬＰモジュールは、カラーホイールの実回転数がシステムの所定のカラーホイール回転数を超えるまで、制御信号を前記カラーホイールコントローラに送信して前記カラーホイールの回動を調整することを特徴とする制御方法。
【請求項１０】
プロジェクタの制御方法であって、
前記制御方法は、メインコントローラ、カラーホイール保護・動的電流調節モジュール、カラーホイールコントローラおよび光源によって実施され、
前記カラーホイール保護・動的電流調節モジュールは、ＤＬＰモジュール、光源コントローラ、カラーホイール回転数フィードバックモジュールおよび電源モジュールを含み、
前記制御方法において、
前記カラーホイールコントローラは、ＤＬＰモジュールの制御信号に基づいてカラーホイールの回動を制御し、前記カラーホイール回転数フィードバックモジュールは、前記カラーホイールが回動した後で、カラーホイールの実回転数を含むフィードバック信号を生成し、
前記ＤＬＰモジュールと前記光源コントローラは、何れも前記フィードバック信号を受信し、何れも前記フィードバック信号に含まれるカラーホイール回転数がシステムの所定のカラーホイール回転数を超えるか否かを判断し、
前記ＤＬＰモジュールは、前記カラーホイールの実回転数がシステムの所定のカラーホイール回転数を超えると判断したときに、処理後の動的輝度情報と制御信号を前記光源コントローラに送信し、
前記ＤＬＰモジュールは、前記カラーホイールの実回転数がシステムの所定のカラーホイール回転数を超えないと判断したときに、カラーホイールの実回転数がシステムの所定のカラーホイール回転数を超えるまで、制御信号をカラーホイールコントローラに送信して前記カラーホイールの回動を調整し、
前記光源コントローラは、前記カラーホイールの実回転数がシステムの所定のカラーホイール回転数を超えると判断したときに、受信された制御信号に基づいて、電源モジュールが電源スイッチをオンにして対応する電流値を出力するように制御し、前記光源コントローラは、前記カラーホイールの実回転数がシステムの所定のカラーホイール回転数を超えないと判断したときに、電源モジュールがオフ状態を維持するように制御し、
前記電源モジュールは、出力された対応する電流値に基づいて、光源の発光を駆動し、
前記ＤＬＰモジュールが送信する処理後の動的輝度情報は、光源の輝度情報とカラーホイールセグメントに整合する時系列制御情報とを含むことを特徴とする制御方法。
【国際調査報告】
2020526144.tif 000007
2020526144.tif 000008
2020526144.tif 000009
2020526144.tif 000010
2020526144.tif 000011
2020526144.tif 000012